(57)【要約】【課題】放送音声などの音声を受話音声と同時に出力することができ、かつ、それらの音声を聞き分けることができる、利便性に優れた携帯電話機を提供する。【解決手段】携帯電話機は、入力信号に基づく音を発生する出力手段と、音声通話に基づく受話音声データを出力する無線通信処理部１２と、放送波を受信し、音声データを出力する放送受信処理部１１と、受話音声データの周波数と放送波の音声データの周波数を比較し、これら音声データの周波数の高低を判定する制御部１３とを有する。制御部１３は、受話音声データおよび音声データのうち、周波数が高いと判定された音声データの周波数を高周波数側へシフトし、周波数が低いと判定された音声データの周波数を低周波数側へシフトする。制御部１３は、周波数シフトした、受話音声データおよび音声データを合成し、該合成した音声データを入力信号として出力手段に供給する。【選択図】図１
2012065241.tif 000002
【特許請求の範囲】
【請求項１】
入力信号に基づく音を発生する出力手段と、
音声通話のための処理が行われ、該音声通話に基づく受話音声データを出力する音声通話部と、
外部装置から提供された音声データまたは予め保持した音声データを出力する音声処理部と、
前記音声通話部から出力された受話音声データの周波数と前記音声処理部から出力された音声データの周波数を比較し、これら受話音声データおよび音声データの周波数の高低を判定する比較手段と、
前記受話音声データおよび音声データのうち、前記比較手段にて周波数が高いと判定された音声データの周波数を高周波数側へシフトし、前記比較手段にて周波数が低いと判定された音声データの周波数を低周波数側へシフトする周波数シフト手段と、
前記周波数シフト手段により周波数のシフトがなされた、前記受話音声データおよび音声データを合成し、該合成した音声データを前記入力信号として前記出力手段に供給する合成部と、を有する、携帯電話機。
【請求項２】
前記音声処理部の出力が２つに分岐され、
前記音声処理部の出力の一方の分岐出力を入力とし、該入力から音声を抽出する帯域フィルタと、
前記音声処理部の出力の他方の分岐出力を第１の入力とし、前記帯域フィルタの出力を第２の入力とし、該第１の入力から該第２の入力を引いた背景音データを出力する減算器と、をさらに有し、
前記帯域フィルタから出力された音声データは、前記比較手段に供給され、
前記減算器から出力された背景音データは、前記合成部に供給され、
前記合成部は、前記周波数シフト手段により周波数のシフトがなされた、前記受話音声データおよび音声データと、前記減算器から出力された背景音データとを合成し、該合成した音声データを前記入力信号として前記出力手段に供給する、請求項１に記載の携帯電話機。
【請求項３】
前記合成部は、前記減算器から出力された背景音データの信号振幅を小さくする、請求項２に記載の携帯電話機。
【請求項４】
複数のチャネルに対応する複数のスピーカからなる出力手段と、
音声通話のための処理が行われ、該音声通話に基づく受話音声データを出力する音声通話部と、
前記複数のチャンネルに対応する音声データを出力する音声処理部と、
前記音声処理部から出力された各多チャンネルの音声データをそれぞれ入力とし、該入力音声データに基づいて形成される空間における音声が聞こえる方向が所定の方向にシフトするように、前記各チャネルの音声データの間の位相差および強度差の少なくとも一方を調整するバランス調整部と、
前記バランス調整部にて調整がなされた前記各チャネルの音声データのうち、前記所定の方向とは反対の方向に対応するチャネルの音声データに、前記音声通話部からの受話音声データを重畳する合成部と、を有し、
前記バランス調整部による調整がなされ、かつ、前記合成部により前記受話音声データが重畳された、前記各チャネルの音声データがそれぞれ前記複数のスピーカの対応するスピーカに供給される、携帯電話機。
【請求項５】
前記複数のチャネルは右用チャネルと左用チャネルからなり、
前記音声処理部は、前記右用チャネルの音声データと前記左用チャネルの音声データをそれぞれ出力し、
前記バランス調整部は、前記右用チャネルの音声データおよび左用チャネルの音声データにより形成される空間における音声が聞こえる方向が左右の一方の側にシフトするように、前記右用チャネルの音声データと前記左用チャネルの音声データの間の位相差および強度差の少なくとも一方を調整し、
前記合成部は、前記バランス調整部にて調整がなされた、前記右用チャネルの音声データおよび左用チャネルの音声データのうち、前記一方の側とは反対側の方向に対応するチャネルの音声データに、前記音声通話部からの受話音声データを重畳する、請求項４に記載の携帯電話機。
【請求項６】
入力信号に基づく音を発生する出力手段と、音声通話のための処理が行われ、該音声通話に基づく受話音声データを出力する音声通話部と、を有する携帯電話機の音声出力方法であって、
前記音声通話部から出力された受話音声データの周波数と外部装置から提供された音声データまたは予め保持した音声データの周波数とを比較し、これら受話音声データおよび音声データの周波数の高低を判定し、
前記受話音声データおよび音声データのうち、周波数が高いと判定された音声データの周波数をさらに高周波数側へシフトし、周波数が低いと判定された音声データの周波数をさらに低周波数側へシフトし、
前記高周波数側および低周波数側への周波数のシフトがなされた、前記受話音声データおよび音声データを合成し、該合成した音声データを前記入力信号として前記出力手段に供給する、音声出力方法。
【請求項７】
複数のチャネルに対応する複数のスピーカからなる出力手段と、音声通話のための処理が行われ、該音声通話に基づく受話音声データを出力する音声通話部と、を有する携帯電話機の音声出力方法であって、
前記複数のチャンネルに対応する音声データに基づいて形成される空間における音声が聞こえる方向が所定の方向にシフトするように、各チャネルの音声データの間の位相差および強度差の少なくとも一方を調整し、
前記位相差および強度差の少なくとも一方の調整がなされた前記各チャネルの音声データのうち、前記所定の方向とは反対の方向に対応するチャネルの音声データに、前記音声通話部から出力された受話音声データを重畳し、
前記位相差および強度差の少なくとも一方の調整がなされ、かつ、前記受話音声データが重畳された、前記各チャネルの音声データをそれぞれ前記複数のスピーカの対応するスピーカに供給する、音声出力方法。
【発明の詳細な説明】
【技術分野】
【０００１】
本発明は、地上デジタル放送やラジオ放送などの放送波の視聴や音楽データや動画データなどの視聴が可能な携帯電話機に関する。
【背景技術】
【０００２】
最近の携帯電話機には、地上デジタル放送やラジオ放送などの放送波を受信する機能が搭載されている。この種の携帯電話機では、放送波を視聴中に、音声通話やテレビ電話などによる着信があった場合、放送波の視聴を中断して、その着信を受け付けるといった操作が行われる。
【０００３】
しかし、上記のような操作では、ニュースやスポーツといったリアルタイム性を有する番組についても視聴を中断することになってしまう。また、相手と同じ番組を視聴しながら通話したいという利用者の要望もある。
【０００４】
そこで、放送波を視聴しながら通話を行うことができる携帯端末装置が提案されている（特許文献１参照）。
【０００５】
特許文献１には、イヤホンと、スピーカと、放送電波を受信する放送波受信部と、無線電話回線で通話を行う電話通信部と、放送波受信部で受信した放送波音声と電話通信部で受信した通話音声を、イヤホンおよびスピーカに選択的に出力する音声出力選択部とを有する携帯端末装置が記載されている。
【０００６】
上記の携帯端末装置では、音声出力選択部が、放送波音声をスピーカに出力し、通話音声をイヤホンに出力することで、放送波の視聴と通話を同時に行うができる。
【先行技術文献】
【特許文献】
【０００７】
【特許文献１】特開２００４−１４６８９４号公報
【発明の概要】
【発明が解決しようとする課題】
【０００８】
しかしながら、特許文献１に記載の携帯端末装置では、放送波を視聴しながら通話を行う場合は、イヤホンを必ず用意する必要がある。利用者は、携帯端末装置と一緒に、常にイヤホンを携帯する必要があるため、使い勝手が悪く、不便である。
【０００９】
本発明の目的は、放送音声などの音声を受話音声と同時に出力することができ、かつ、それらの音声を聞き分けることができる、利便性に優れた携帯電話機およびその音声出力方法を提供することにある。
【課題を解決するための手段】
【００１０】
上記目的を達成するため、本発明の携帯端末装置は、
入力信号に基づく音を発生する出力手段と、
音声通話のための処理が行われ、該音声通話に基づく受話音声データを出力する音声通話部と、
外部装置から提供された音声データまたは予め保持した音声データを出力する音声処理部と、
前記音声通話部から出力された受話音声データの周波数と前記音声処理部から出力された音声データの周波数を比較し、これら受話音声データおよび音声データの周波数の高低を判定する比較手段と、
前記受話音声データおよび音声データのうち、前記比較手段にて周波数が高いと判定された音声データの周波数を高周波数側へシフトし、前記比較手段にて周波数が低いと判定された音声データの周波数を低周波数側へシフトする周波数シフト手段と、
前記周波数シフト手段により周波数のシフトがなされた、前記受話音声データおよび音声データを合成し、該合成した音声データを前記入力信号として前記出力手段に供給する合成部と、を有する。
【００１１】
本発明の別の携帯電話機は、
複数のチャネルに対応する複数のスピーカからなる出力手段と、
音声通話のための処理が行われ、該音声通話に基づく受話音声データを出力する音声通話部と、
前記複数のチャンネルに対応する音声データを出力する音声処理部と、
前記音声処理部から出力された各多チャンネルの音声データをそれぞれ入力とし、該入力音声データに基づいて形成される空間における音声が聞こえる方向が所定の方向にシフトするように、前記各チャネルの音声データの間の位相差および強度差の少なくとも一方を調整するバランス調整部と、
前記バランス調整部にて調整がなされた前記各チャネルの音声データのうち、前記所定の方向とは反対の方向に対応するチャネルの音声データに、前記音声通話部からの受話音声データを重畳する合成部と、を有し、
前記バランス調整部による調整がなされ、かつ、前記合成部により前記受話音声データが重畳された、前記各チャネルの音声データがそれぞれ前記複数のスピーカの対応するスピーカに供給される。
【００１２】
本発明の音声出力方法は、入力信号に基づく音を発生する出力手段と、音声通話のための処理が行われ、該音声通話に基づく受話音声データを出力する音声通話部と、を有する携帯電話機の音声出力方法であって、
前記音声通話部から出力された受話音声データの周波数と外部装置から提供された音声データまたは予め保持した音声データの周波数とを比較し、これら受話音声データおよび音声データの周波数の高低を判定し、
前記受話音声データおよび音声データのうち、周波数が高いと判定された音声データの周波数をさらに高周波数側へシフトし、周波数が低いと判定された音声データの周波数をさらに低周波数側へシフトし、
前記高周波数側および低周波数側への周波数のシフトがなされた、前記受話音声データおよび音声データを合成し、該合成した音声データを前記入力信号として前記出力手段に供給することを特徴とする。
【００１３】
本発明の別の音声出力方法は、複数のチャネルに対応する複数のスピーカからなる出力手段と、音声通話のための処理が行われ、該音声通話に基づく受話音声データを出力する音声通話部と、を有する携帯電話機の音声出力方法であって、
前記複数のチャンネルに対応する音声データに基づいて形成される空間における音声が聞こえる方向が所定の方向にシフトするように、各チャネルの音声データの間の位相差および強度差の少なくとも一方を調整し、
前記位相差および強度差の少なくとも一方の調整がなされた前記各チャネルの音声データのうち、前記所定の方向とは反対の方向に対応するチャネルの音声データに、前記音声通話部から出力された受話音声データを重畳し、
前記位相差および強度差の少なくとも一方の調整がなされ、かつ、前記受話音声データが重畳された、前記各チャネルの音声データをそれぞれ前記複数のスピーカの対応するスピーカに供給することを特徴とする。
【発明の効果】
【００１４】
本発明によれば、受話音声をイヤホンから出力させ、放送音声をスピーカから出力させるといった出力先の選択を行う必要がなく、例えば内蔵スピーカを用い、放送音声および受話音声をその内蔵スピーカから出力することができる。しかも、内蔵スピーカから出力される放送音声および受話音声を聞き分けることができる。このように、イヤホン以外のスピーカを用いても、放送音声および受話音声を聞き分けることもできるので、特許文献１に記載のものよりも利便性が向上する。
【図面の簡単な説明】
【００１５】
【図１】本発明の第１の実施形態である携帯電話機の構成を示すブロック図である。
【図２】図１に示す携帯電話機の音声合成処理部の構成を示すブロック図である。
【図３】図１に示す携帯電話機の音声出力制御に係わる処理の一手順を示すフローチャートである。
【図４】本発明の第２の実施形態の携帯電話機の音声合成処理部の構成を示すブロック図である。
【図５】本発明の第３の実施形態である携帯電話機の音声合成処理部の構成を示すブロック図である。
【発明を実施するための形態】
【００１６】
次に、本発明の実施形態について図面を参照して説明する。
【００１７】
図１は、本発明の第１の実施形態である携帯電話機の構成を示すブロック図である。
【００１８】
図１を参照すると、携帯電話機は、放送受信処理部１１、無線通信処理部１２、制御部１３、マイクロホン１４、表示部１５、受話スピーカ１６、内蔵スピーカ１７、イヤホン出力端子１８、外部出力端子１９および入力部２０を有する。
【００１９】
放送受信処理部１１は、地上デジタル放送やラジオ放送などの放送波を受信するアンテナ１１ａを備え、このアンテナ１１ａで受信した放送波受信データを復調して、映像やデータ放送などの表示データ、および放送音声データを生成する。表示データおよび放送音声データは、放送受信処理部１１から制御部１３に供給される。
【００２０】
無線通信処理部１２は、通話のための無線通信を行うためのアンテナ１２ａを備え、このアンテナ１２ａを介して、送話音声の送信処理および受話音声の受信処理を行う。送信処理では、マイクロホン１４を通して入力された音声に基づく送話音声データがアンテナ１２ａを介して送信される。受信処理では、アンテナ１２ａを介して受信された音声に基づく受話音声データが生成される。受話音声データは、無線通信処理部１２から制御部１３に供給される。
【００２１】
制御部１３は、携帯電話機の各部の動作を制御する他、放送受信処理部１１からの表示データを表示部１５にて表示させる。制御部１３は、放送受信処理部１１からの放送音声データおよび無線通信処理部１２からの受話音声データのそれぞれの出力先として、受話スピーカ１６、内蔵スピーカ１７、イヤホン出力端子１８および外部出力端子１９のいずれかを選択する。
【００２２】
放送音声および受話音声を同時に出力する場合は、制御部１３は、放送受信処理部１１からの放送音声データおよび無線通信処理部１２からの受話音声データを合成し、その合成音声データを、受話スピーカ１６、内蔵スピーカ１７、イヤホン出力端子１８および外部出力端子１９のいずれかに出力する。この場合の出力先は、予め指定されていてもよく、入力部２０を通じてユーザが指定してもよい。
【００２３】
なお、放送音声および受話音声を別々の時間帯に出力する場合は、制御部１３は、放送音声データおよび受話音声データの出力先として、同じ出力先または異なる出力先を設定してもよい。
【００２４】
表示部１５は、液晶ディスプレイ等の表示装置よりなる。表示部１５による表示動作は、制御部１３によって制御される。例えば、制御部１３は、携帯電話機上でユーザへ示すべき情報を表示部１５に表示させる。この他、制御部１３は、放送受信処理部１１で受信した放送波の表示データを表示部１５に表示させたり、不図示の記憶装置（半導体メモリであって、メモリカードも含む。）に格納されている映像データや、テレビ電話で受信した表示データなどを表示部１５に表示させたりする。
【００２５】
受話スピーカ１６および内蔵スピーカ１７は、携帯電話機に内蔵されている。受話スピーカ１６は、主に、無線通信処理部１２で受信した受話音声を出力する部分である。内蔵スピーカ１７は、放送音声再生用に搭載されている大出力スピーカである。
【００２６】
イヤホン出力端子１８は、イヤホンやイヤホンマイクへの音声出力端子である。
【００２７】
外部出力端子１９は、映像や音声を外部装置に出力するための端子である。外部出力端子１９として、例えば、外部スピーカへの出力、ＨＤＭＩ（High-Definition Multimedia Interface）などのインタフェースを用いた、外部テレビ等への映像音声出力などを行う端子を用いることができる。
【００２８】
入力部２０は、複数の操作キーやタッチパネル等よりなる。ユーザが、入力部２０にて入力操作を行うこと、その入力操作に応じた指示信号が入力部２０から制御部１３に供給される。制御部１３は、入力部２０からの指示信号に従って必要な処理および動作の制御を行う。
【００２９】
本実施形態の携帯電話機では、放送音声および受話音声を同時に出力する場合は、制御部１３は、放送音声データおよび受話音声データを合成して出力する。
【００３０】
図２に、制御部１３の音声合成処理部の構成を示す。
【００３１】
図２を参照すると、音声合成処理部１３０は、周波数比較部１３１、シフト量決定部１３２、周波数シフト部１３３、１３４、および合成部１３５を有する。
【００３２】
放送受信処理部１１からの放送音声データは、周波数比較部１３１および周波数シフト部１３３に供給される。無線通信処理部１２からの受話音声データは、周波数比較部１３１および周波数シフト部１３４に供給される。
【００３３】
周波数比較部１３１は、放送受信処理部１１からの放送音声データの周波数および無線通信処理部１２からの受話音声データの周波数をそれぞれ検出し、それらの周波数を比較して、放送音声データと受話音声データの周波数の高低を判定する。判定結果は、周波数比較部１３１からシフト量決定部１３２に供給される。
【００３４】
一般に、音声データの周波数は変化することから、周波数比較部１３１は、放送音声データと受話音声データのそれぞれについて、一定時間毎に、周波数の平均値を算出し、それらの平均値を比較することで、放送音声データと受話音声データの周波数の高低の判定を行ってもよい。
【００３５】
また、放送音声データが複数の人の音声を含む場合は、周波数比較部１３１は、放送音声データから各人の音声に対応する周波数を検出し、それぞれの音声の周波数の平均値を放送音声データの周波数として取り扱ってもよい。
【００３６】
シフト量決定部１３２は、周波数比較部１３１からの判定結果に基づいて、放送音声データと受話音声データのうち、周波数が高いと判定された音声データについては、周波数をさらに高くするような第１のシフト量を決定し、他方の音声データについては、周波数をさらに低くするような第２のシフト量を決定する。
【００３７】
第１および第２のシフト量は、放送音声データと受話音声データとを聞き分けることが可能な量である。具体的には、放送音声データの周波数帯と受話音声データの周波数帯とが互いに重ならないように、シフト量決定部１３２は、第１および第２のシフト量を決定する。
【００３８】
シフト量決定部１３２は、決定した第１のシフト量を周波数シフト部１３３に供給し、決定した第２のシフト量を周波数シフト部１３４に供給する。
【００３９】
周波数シフト部１３３は、シフト量決定部１３２からの第１のシフト量に基づいて、放送受信処理部１１から供給される放送音声データの周波数をシフトさせる。周波数がシフトされた放送音声データは、周波数シフト部１３３から合成部１３５の一方の入力に供給される。
【００４０】
周波数シフト部１３４は、シフト量決定部１３２からの第２のシフト量に基づいて、無線通信処理部１２から供給される受話音声データの周波数をシフトさせる。周波数がシフトされた受話音声データは、周波数シフト部１３４から合成部１３５の他方の入力に供給される。
【００４１】
合成部１３５は、周波数シフト部１３３からの放送音声データと周波数シフト部１３４からの受話音声データを合成し、その合成した音声データを、受話スピーカ１６、内蔵スピーカ１７、イヤホン出力端子１８および外部出力端子１９のうちから指定された出力先へ出力する。
【００４２】
図３は、本実施形態の携帯電話機の音声出力制御に係わる処理の一手順を示すフローチャートである。
【００４３】
制御部１３が、放送受信処理部１１にて放送波を受信中に、無線通信処理部１２にて音声通話のための処理が開始されたか否かを判定する（ステップＳ１０）。
【００４４】
放送波の受信中に音声通話が開始されると、周波数比較部１３１が、放送受信処理部１１からの放送音声データの周波数と無線通信処理部１２からの受話音声データの周波数を比較して、放送音声データと受話音声データの周波数の高低を判定する（ステップＳ１１）。
【００４５】
次に、制御部１３が、放送音声データと受話音声データの互いの周波数帯が重ならないように、周波数が高いと判定された音声データについて、周波数をさらに高くし、周波数が低いと判定された音声データについて、周波数をさらに低くする（ステップＳ１２）。
【００４６】
上記のステップＳ１２の処理を具体的に説明する。まず、シフト量決定部１３２が、周波数が高いと判定された音声データについて、周波数をさらに高くするような第１のシフト量を決定し、周波数が低いと判定された音声データについて、周波数をさらに低くするような第２のシフト量を決定する。そして、周波数シフト部１３３が、第１のシフト量に基づいて、放送受信処理部１１から供給される放送音声データの周波数をシフトさせ、周波数シフト部１３４が、第２のシフト量に基づいて、無線通信処理部１２から供給される受話音声データの周波数をシフトさせる。
【００４７】
周波数をシフトさせた後、制御部１３は、放送音声データと受話音声データを合成する（ステップＳ１３）。そして、制御部１３は、その合成した音声データを同じ出力先に同時に供給する（ステップＳ１４）。
【００４８】
ステップＳ１０において、放送波の受信中に、音声通話が行われない場合は、制御部１３は、放送受信処理部１１からの放送音声データを予め設定された出力先に供給する（ステップＳ１５）。
【００４９】
以上の音声出力制御によれば、周波数が高いと判定された音声データについてはその周波数をさらに高くし、周波数が低いと判定された音声データについてはその周波数をさらに低くする。これにより、放送音声データの周波数帯と受話音声データの周波数帯の分離が可能となり、放送音声データと受話音声データを同時に同じ出力先から出力した場合でも、周波数の違いにより、放送音声と受話音声とを聞き分けることができる。
【００５０】
望ましくは、放送音声データと受話音声データの互いの周波数帯が重ならないように周波数のシフト量を決定することで、放送音声と受話音声とをより確実に聞き分けることができる。
【００５１】
ただし、シフト量を大きくすると、周波数シフトの前後で、音声の高低も変わるため、違和感を生じる。このため、シフト量の上限値を、そのような違和感を考慮して予め設定しておくことが望ましい。
【００５２】
本実施形態の携帯電話機によれば、音声出力先として、受話スピーカ１６、内蔵スピーカ１７、イヤホン出力端子１８および外部出力端子１９のいずれかを選択することができ、その選択した出力先において、放送音声データと受話音声データを同時に出力した場合でも、ユーザは、放送音声と受話音声とを聞き分けることができる。このように、イヤホン以外の音声出力先においても、放送音声と受話音声とを聞き分けることができるので、特許文献１に記載のものよりも利便性が向上する。
【００５３】
（第２の実施形態）
図４は、本発明の第２の実施形態の携帯電話機の音声合成処理部の構成を示すブロック図である。
【００５４】
本発明の実施形態の携帯電話機は、音声合成処理部に放送波の音声を抽出するための帯域フィルタおよび減算器を加えた以外は、第１の実施形態の携帯電話機と同じものである。
【００５５】
図４に示す音声合成処理部１３０は、図２に示した構成に帯域フィルタ１３６および減算器１３７を加えたものである。
【００５６】
放送受信処理部１１は、放送音声データを帯域フィルタ１３６および減算器の第１の入力に供給する。放送音声データに含まれる音声データには、音声に関するデータの他、音楽等のデータを含む。
【００５７】
帯域フィルタ１３６は、一般的な音声の周波数帯に対応する音声データを通過し、それ以外の周波数帯のデータを遮断するような特性を有する。帯域フィルタ１３６は、放送受信処理部１１からの放送音声データから音声のみのデータを抽出する。帯域フィルタ１３６で抽出された音声データは、周波数比較部１３１および周波数シフト部１３３に供給されるとともに、減算器１３７の第２の入力に供給される。
【００５８】
減算器１３７は、第１の入力として供給される、放送受信処理部１１からの放送音声データから、第２の入力として供給される、帯域フィルタ１３６からの音声抽出データを差し引いて、背景音（ＢＧＭなど）のみデータを出力する。減算器１３７から出力された背景音データは、合成部１３５に供給される。
【００５９】
周波数比較部１３１は、帯域フィルタ１３６からの音声抽出データの周波数と無線通信処理部１２からの受話音声データの周波数を比較し、それら音声抽出データおよび受話音声データの周波数の高低を判定する。判定結果は、周波数比較部１３１からシフト量決定部１３２に供給される。
【００６０】
シフト量決定部１３２および周波数シフト部１３３、１３４の動作は、第２の実施形態で説明した動作と同じである。
【００６１】
合成部１３５は、減算器１３７からの背景音データと、周波数シフト部１３３からの、周波数シフトされた音声抽出データと、周波数シフト部１３４からの、周波数シフトされた受話音声データとを合成し、合成した音声データを、受話スピーカ１６、内蔵スピーカ１７、イヤホン出力端子１８および外部出力端子１９のうちから指定された出力先へ出力する。
【００６２】
上記の音声合成において、合成部１３５は、背景音データの信号振幅（音量）を所定量だけ小さくしてもよい。これにより、背景音の音量が小さくなるため、ユーザは、音声抽出データと受話音声データの聞き分けをより確実に行うことができる。
【００６３】
（第３の実施形態）
図５は、本発明の第３の実施形態である携帯電話機の音声合成処理部の構成を示すブロック図である。
【００６４】
本発明の実施形態の携帯電話機では、音声出力先である、受話スピーカ１６、内蔵スピーカ１７、イヤホン出力端子１８および外部出力端子１９がステレオでの音声出力が可能とされている点、放送受信処理１１がステレオ出力用の音声データ（右チャネル用および左チャネル用の音声データ）を出力する点、および音声合成処理部の構成が、第１の実施形態の携帯電話機と異なる。
【００６５】
ここで、ステレオでの音声出力が可能な出力手段は、右用チャネルの音声データが供給される右用スピーカと、左用チャネルのデータが供給される左用スピーカとにより構成される。
【００６６】
図５に示すように、音声合成処理部１３０は、バランス調整部１３８および合成部１３９を有する。
【００６７】
放送受信処理１１は、右チャネル用の音声データおよび左チャネル用の音声データをそれぞれバランス調整部１３８に供給する。
【００６８】
一般に、人間の両耳による方向の弁別は、左右の耳に到達する音声の時間差（位相差）や強度差（振幅差）に基づいて行われることが知られている。これを利用し、バランス調整部１３８は、右チャネル用の音声データおよび左チャネル用の音声データの間の位相差や振幅を調整することで、音声の方向（左右のチャネルの音声のバランス）を調整する。具体的には、バランス調整部１３８は、調整後の音声が聞こえる方向が調整前の音声が聞こえる方向より右側にシフトされるように、左右のチャネルの音声データ間の位相差および強度差の少なくとも一方を調整する。
【００６９】
音声のバランスの調整がなされた右チャネル用の音声データおよび左チャネル用の音声データのうち、左チャネル用の音声データは、バランス調整部１３８から合成部１３９の一方の入力に供給される。合成部１３９の他方の入力には、無線通信処理部１２からの受話音声データが供給される。
【００７０】
合成部１３９は、バランス調整部１３８からの、音声のバランスの調整がなされた左チャネル用の音声データに、無線通信処理部１２からの受話音声データを合成する。
【００７１】
音声合成処理部１３０は、バランス調整部１３８にて音声のバランスの調整がなされた右チャネル用の音声データと、合成部１３９で合成された左チャネル用の音声データとを、受話スピーカ１６、内蔵スピーカ１７、イヤホン出力端子１８および外部出力端子１９のうちから指定された出力先へ出力する。
【００７２】
本実施形態の携帯電話機によれば、放送音声データ（ステレオ）に基づく音声が左方向から聞こえるように左右のチャネルの音声データの間の位相差および強度差の少なくとも一方を調整した上で、右チャネル用の音声データにのみ、受話音声データを重畳する。これにより、放送音声と受話音声が異なる到来方向から聞こえるようになり、それら音声を聞き分けやすくすることができる。
【００７３】
また、本実施形態においても、受話音声をイヤホンから出力させ、放送音声をスピーカから出力させるといった出力先の選択を行う必要がなく、例えば内蔵スピーカを用い、放送音声および受話音声をその内蔵スピーカから出力することができる。しかも、内蔵スピーカから出力される放送音声および受話音声を聞き分けることができる。このように、イヤホン以外のスピーカを用いても、放送音声および受話音声を聞き分けることもできるので、特許文献１に記載のものよりも利便性が向上する。
【００７４】
なお、特開２００９−１９４９３２号公報には、左右のイヤホンスピーカを備えた通話装置において、一方のイヤホンスピーカから通話音声を出力し、他方のイヤホンスピーカから通話外音声を出力する構成が開示されている。しかし、この構成では、通話外音声として十分なステレオ効果を得ることができず、臨場感が損なわれる。
【００７５】
これに対して本実施形態によれば、臨場感をある程度維持したまま、通話音声とそれ以外の音声とを聞き分けることができる。
【００７６】
図５に示した例では、左チャネル用の音声データに受話音声データを重畳する構成になっているが、これに限定されない。放送音声が右方向から聞こえるように左右のチャネルの音声データの間の位相差および強度差の少なくとも一方を調整した上で、左チャネル用の音声データにのみ、受話音声データを重畳するように構成してもよい。
【００７７】
また、図５に示した例は、ステレオ出力の例であるが、これに限定されない。受話スピーカ１６、内蔵スピーカ１７、イヤホン出力端子１８および外部出力端子１９として、３つ以上のチャンネルを用いた音声出力が可能な出力手段を用い、チャンネル間の音声バランスを変更することで、同様の効果を得ることが可能である。
【００７８】
ここで、複数のチャンネルを用いた音声出力が可能な出力手段とは、複数のチャネルに対応する複数のスピーカからなる出力手段である。各スピーカには、対応するチャネルの音声データが供給される。
【００７９】
具体的に説明すると、放送受信処理部１１は、ｎ個のチャネルの音声データをそれぞれバランス調整部１３８に供給する。この場合、出力手段は、ｎ個のスピーカからなる。
【００８０】
バランス調整部１３８は、入力されたｎ個のチャネルの音声データに基づいて形成される空間における放送音声が聞こえる方向が所定の方向にシフトするように、ｎ個のチャネルの音声データの間の位相差および強度差の少なくとも一方を調整する。そして、合成部１３９が、ｎ個のチャネルの音声データのうち、所定の方向とは反対側の方向に対応するチャネルの音声データに、無線通信処理部１２からの受話音声データを重畳する。
【００８１】
バランス調整部１３８にて調整がなされ、かつ、合成部１３９により受話音声データが重畳された、ｎ個のチャネルの音声データはそれぞれ、ｎ個のスピーカの対応するスピーカに供給される。
【００８２】
また、バランス調整部１３８が、ｎ個のチャネルの音声データのうち、少なくとも１つのチャネルについて放送音声を出力しないようにバランス調整を行い、合成部１３９が、放送音声を出力していないチャネルの音声データに、無線通信処理部１２からの受話音声データを重畳してもよい。例えば、ステレオ出力の場合、左チャンネルに放送音声が出力され、右チャンネルに受話音声が出力される。これにより、放送音声と受話音声をより明確に聞き分けることができる。
【００８３】
以上説明した第１乃至第３の実施形態の携帯電話機は、本発明の一例であり、その構成および動作は発明の趣旨を逸脱しない範囲で当業者が考え得る変更を行うことができる。
【００８４】
第１乃至第３の実施形態において、制御部１３が、受話音声の音声認識を行い、受話音声に現れた単語を表示部１５に表示させてもよい。
【００８５】
放送音声は、テレビ放送やラジオ放送による放送音声を含む。
【００８６】
また、放送受信処理部１１に代えて、予め保持した、音楽プレーヤや動画再生アプリケーションを再生する再生処理部や、インターネットを介して外部装置（コンピュータシステム）から提供される動画サイトなどの視聴が可能な再生処理部など、音声データを出力する処理部を設けてもよい。
【００８７】
（他の実施形態）
本他の実施形態の携帯電話機は、
入力信号に基づく音を発生する出力手段と、
音声通話のための処理が行われ、該音声通話に基づく受話音声データを出力する音声通話部と、
外部装置から提供された音声データまたは予め保持した音声データを出力する音声処理部と、
上記音声通話部から出力された受話音声データの周波数と上記音声処理部から出力された音声データの周波数を比較し、これら受話音声データおよび音声データの周波数の高低を判定する比較手段と、
上記受話音声データおよび音声データのうち、上記比較手段にて周波数が高いと判定された音声データの周波数を高周波数側へシフトし、上記比較手段にて周波数が低いと判定された音声データの周波数を低周波数側へシフトする周波数シフト手段と、
上記周波数シフト手段により周波数のシフトがなされた、上記受話音声データおよび音声データを合成し、該合成した音声データを上記入力信号として上記出力手段に供給する合成部と、を有する。
【００８８】
上記の構成において、出力手段は、図１に示した受話スピーカ１６、内蔵スピーカ１７、イヤホン出力端子１８および外部出力端子１９のいずれかに対応する。ただし、イヤホン出力端子１８および外部出力端子１９については、それら端子に接続されるスピーカを含む。
【００８９】
音声通話部は、図２示した無線通信処理部１２に対応する。音声処理部は、図２示した放送受信処理部１１またはそれに代わる再生処理部に対応する。比較手段は、図２示した周波数比較部１３１に対応する。周波数シフト手段は、図２示したシフト量決定部１３２および周波数シフト部１３３、１３４に対応する。合成部は、図２示した合成部１３５に対応する。
【００９０】
本発明の別の実施形態による携帯電話機は、
複数のチャネルに対応する複数のスピーカからなる出力手段と、
音声通話のための処理が行われ、該音声通話に基づく受話音声データを出力する音声通話部と、
上記複数のチャンネルに対応する音声データを出力する音声処理部と、
上記音声処理部から出力された各多チャンネルの音声データをそれぞれ入力とし、該入力音声データに基づいて形成される空間における音声が聞こえる方向が所定の方向にシフトするように、上記各チャネルの音声データの間の位相差および強度差の少なくとも一方を調整するバランス調整部と、
上記バランス調整部にて調整がなされた上記各チャネルの音声データのうち、上記所定の方向とは反対の方向に対応するチャネルの音声データに、上記音声通話部からの受話音声データを重畳する合成部と、を有し、
上記バランス調整部による調整がなされ、かつ、上記合成部により上記受話音声データが重畳された、上記各チャネルの音声データがそれぞれ上記複数のスピーカの対応するスピーカに供給される。
【００９１】
上記の構成において、出力手段は、図１に示した受話スピーカ１６、内蔵スピーカ１７、イヤホン出力端子１８および外部出力端子１９のいずれかに対応する。ただし、イヤホン出力端子１８および外部出力端子１９については、それら端子に接続されるスピーカを含む。
【００９２】
音声通話部は、図５示した無線通信処理部１２に対応する。音声処理部は、図５示した放送受信処理部１１またはそれに代わる再生処理部に対応する。バランス調整部は、図５に示したバランス調整部１３８に対応する。合成部は、図５示した合成部１３９に対応する。
【００９３】
本発明は、携帯電話機の他、固定電話や自動車電話等、電話着信機能を有する電話機全般に適用することができる。
【符号の説明】
【００９４】
１１  放送受信処理部
１２  無線通信処理部
１３  制御部
１４  マイクロホン
１５  表示部
１６  受話スピーカ
１７  内蔵スピーカ
１８  イヤホン出力端子
１９  外部出力端子
２０  入力部
【図１】
2012065241.tif 000003
【図２】
2012065241.tif 000004
【図３】
2012065241.tif 000005
【図４】
2012065241.tif 000006
【図５】
2012065241.tif 000007